(57)【要約】【課題】  配管路の対象部に詰まった夾雑物を除去することができるだけでなく、さまざまな配管路に対してフレキシブルに対応することができる配管路システム及び配管路の夾雑物除去方法を提供する。【解決手段】  上流側から下流側に向けて流体を流通させる配管路１５を備え、配管路１５の対象部１５１に詰まった夾雑物を除去する配管路システムにおいて、対象部１５１の流体の流れを遮断可能な制御弁１５２と、制御弁１５２の開閉動作を実行させる制御手段２とを備え、対象部１５１の流体の流量を測定する流量測定手段１５３をさらに備え、制御手段２は、対象部１５１の流体の流量が設定値以下となった際に、制御弁１５２の開閉動作を実行させることを特徴とする。【選択図】  図１
2014024059.tif 000002
【特許請求の範囲】
【請求項１】
上流側から下流側に向けて流体を流通させる配管路と、配管路の対象部の流体の流れを遮断可能な制御弁と、対象部に詰まった夾雑物を除去すべく、制御弁の開閉動作を実行させて対象部の流体の流量を変化させる制御手段とを備え、
対象部の流体の流量を測定する流量測定手段をさらに備え、
制御手段は、対象部の流体の流量が設定値以下となった際に、制御弁の開閉動作を実行させることを特徴とする配管路システム。
【請求項２】
制御手段は、対象部の流体の流量が設定値以上になる又は制御弁の開閉動作が設定回数になるまで、制御弁の開閉動作を実行させる請求項１に記載の配管路システム。
【請求項３】
上流側から下流側に向けて流体を流通させる配管路と、配管路の対象部の流体の流れを遮断可能な制御弁と、対象部に詰まった夾雑物を除去すべく、制御弁の開閉動作を実行させて対象部の流体の流量を変化させる制御手段とを備え、
対象部の流体の流量を測定する流量測定手段をさらに備え、
対象部の流体の流量が設定値以下となった際に、制御手段で制御弁の開閉動作を実行させて対象部の流体の流量を変化させることで、対象部に詰まった夾雑物を除去することを特徴とする配管路の夾雑物除去方法。
【発明の詳細な説明】
【技術分野】
【０００１】
本発明は、配管路の対象部に詰まった夾雑物を除去する配管路システム及び配管路の夾雑物除去方法に関する。
【背景技術】
【０００２】
従来、配管路システムとして、上流側から下流側に向けて流体を流通させる配管路と、加圧水を配管路の上流側に向けて送る加圧水供給装置とを備える配管路システムが知られている（例えば、特許文献１）。斯かる配管路システムによれば、加圧水供給装置が配管路の上流側に向けて加圧水を供給することで、小口径配管等の対象部に詰まった夾雑物を除去することができる。
【先行技術文献】
【特許文献】
【０００３】
【特許文献１】特開２０００−７０８９１号公報
【発明の概要】
【発明が解決しようとする課題】
【０００４】
ところで、特許文献１に係る配管路システムによれば、加圧水供給装置という設備が必要になるため、斯かる加圧水供給装置を設置するスペースが必要である。また、例えば、斯かる加圧水供給装置を既設の配管路システムに導入するには、大掛かりな改造等の対応（費用、期間）が必要である。
【０００５】
よって、本発明は、斯かる事情に鑑み、配管路の対象部に詰まった夾雑物を除去することができるだけでなく、さまざまな配管路に対してフレキシブルに対応することができる配管路システム及び配管路の夾雑物除去方法を提供することを課題とする。
【課題を解決するための手段】
【０００６】
本発明に係る配管路システムは、上流側から下流側に向けて流体を流通させる配管路と、配管路の対象部の流体の流れを遮断可能な制御弁と、対象部に詰まった夾雑物を除去すべく、制御弁の開閉動作を実行させて対象部の流体の流量を変化させる制御手段とを備え、対象部の流体の流量を測定する流量測定手段をさらに備え、制御手段は、対象部の流体の流量が設定値以下となった際に、制御弁の開閉動作を実行させることを特徴とする。
【０００７】
本発明に係る配管路システムによれば、制御弁は、上流側から下流側に向けて流体を流通させる配管路に対して、対象部における流体の流れを遮断できる。そして、制御手段は、制御弁の開閉動作を実行させる。これにより、配管路の対象部が無圧状態から加圧状態になるため、配管路の対象部に詰まった夾雑物を除去することができる。
【０００８】
また、配管路システムによれば、流量測定手段が対象部の流体の流量を測定する。そして、対象部の流体の流量が設定値以下となった際に、制御手段が制御弁の開閉動作を実行させる。したがって、例えば、配管路の対象部に夾雑物が詰まった際に、制御弁の開閉動作を効果的に実行することができる。
【０００９】
また、本発明に係る配管路システムにおいては、制御手段は、対象部の流体の流量が設定値以上になる又は制御弁の開閉動作が設定回数になるまで、制御弁の開閉動作を実行させてもよい。
【００１０】
斯かる構成の配管路システムによれば、制御手段は、対象部の流体の流量が設定値以上になるか、又は、制御弁の開閉動作が設定回数になるまで、制御弁の開閉動作を実行する。これより、対象部の流体の流量が設定値以上になると、制御弁の開閉動作が終了され、また、対象部の流体の流量が設定値以上にならなくても、制御弁の開閉動作が設定回数になると、制御弁の開閉動作が終了する。したがって、制御弁が不必要に開閉動作を実行することを抑制できる。
【００１１】
また、本発明に係る配管路の夾雑物除去方法は、上流側から下流側に向けて流体を流通させる配管路と、配管路の対象部の流体の流れを遮断可能な制御弁と、対象部に詰まった夾雑物を除去すべく、制御弁の開閉動作を実行させて対象部の流体の流量を変化させる制御手段とを備え、対象部の流体の流量を測定する流量測定手段をさらに備え、対象部の流体の流量が設定値以下となった際に、制御手段で制御弁の開閉動作を実行させて対象部の流体の流量を変化させることで、対象部に詰まった夾雑物を除去することを特徴とする。
【発明の効果】
【００１２】
以上の如く、本発明によれば、配管路の対象部に詰まった夾雑物を除去することができるだけでなく、さまざまな配管路に対してフレキシブルに対応することができるという優れた効果を奏する。
【図面の簡単な説明】
【００１３】
【図１】本発明の一実施形態に係る配管路システムの要部系統図を示す。
【図２】同実施形態に係る配管路システムの制御ブロック図を示す。
【図３】同実施形態に係る配管路システムの制御弁開閉処理フローを示す。
【図４】同実施形態に係る配管路システムの夾雑物除去方法を説明する図であって、流量と制御弁の開閉動作との関係図を示す。
【図５】同実施形態に係る配管路システムの夾雑物除去方法を説明する図であって、流量と制御弁の開閉動作との関係図を示す。
【発明を実施するための形態】
【００１４】
以下、本発明に係る配管路システムにおける一実施形態について、図１〜図５を参酌して説明する。
【００１５】
本実施形態に係る配管路システムは、図１及び図２に示すように、上流側から下流側に向けて流体を流通させる配管路１と、配管路１の各部を制御する制御手段２とを備える。なお、本実施形態において、配管路システムは、水力発電所の給水系統の配管路としている。
【００１６】
配管路１は、主幹配管路１０と、ストレーナ１１を介して、主幹配管路１０から分岐される複数の分岐配管路１２〜１５とを備える。そして、複数の分岐配管路１２〜１５には、発電機エアクーラや発電機スラスト及び下部メタルを冷却するための発電機用冷却水配管路１２と、集油槽を冷却するための集油槽用冷却配管路１３と、水車の軸受を冷却するための水車軸受冷却配管路１４と、水車の填座に給水するための水車填座給水配管路１５とが設けられている。
【００１７】
水車填座給水配管路１５は、配管内の水の流量を調整する流量調整手段１５１と、配管内の水の流れを遮断可能な制御弁１５２とを備える。また、水車填座給水配管路１５は、配管内の水の流量を測定する流量測定手段１５３を備える。なお、本実施形態において、主幹配管路１０の配管サイズが１５０Ａであるのに対して、水車填座給水配管路１５の配管サイズは、１５Ａである。
【００１８】
流量調整手段１５１は、本実施形態において、管の内径を一部小さくして圧力を損失させることで流量を調整するオリフィス弁としている。したがって、斯かる流量調整手段１５１は、ごみやヘドロといった夾雑物が詰まり易い箇所であって、本発明に係る「配管路の対象部」である。
【００１９】
制御弁１５２は、流量調整手段１５１の下流側に配置されている。そして、制御弁１５２は、本実施形態において、電動弁としており、瞬時に（例えば１〜２秒で）開閉動作を可能としている。
【００２０】
流量測定手段１５３は、配管内の水の流量を検出する流量検出部１５３ａを備え、流量検出部１５３ａで検出した流量が設定値以下となった際に、制御手段２に向けて信号を出力するように構成されている。また、流量測定手段１５３は、該信号を出力する際の設定値を自由に設定するための流量値設置部１５３ｂをさらに備える。なお、流量測定手段１５３は、本実施形態において、電磁流量計としている。
【００２１】
制御手段２は、流量調整手段１５１の水の流量、即ち、流量測定手段１５３で測定した流量が設定値以下となった際に、制御弁１５２の開閉動作を実行させる。具体的には、制御手段２は、流量調整手段１５１に詰まった夾雑物を除去すべく、流量調整手段１５１が無圧状態から加圧状態となるように、制御弁１５２の開閉動作を実行させる。
【００２２】
そして、制御手段２は、流量測定手段１５３で測定した流量（流量調整手段１５１の水の流量）が設定値以上になる又は制御弁１５２の開閉動作が設定回数（本実施形態においては２回）になるまで、制御弁１５２の開閉動作を実行させる。なお、配管路システムには、制御弁１５２を開放させる時間と閉塞させる時間とを自由に設定するための開閉設定手段３が設けられている。
【００２３】
本実施形態に係る配管路システムの構成については以上の通りであり、次に、本実施形態に係る制御弁の開閉動作について、図３〜図５を参酌して説明する。
【００２４】
ステップ１００においては、制御弁１５２が開放され、水車填座給水配管路１５に水が流れる。そして、ステップ１０１に進むと、流量測定手段１５３で測定する水の流量が設定値以下であるか否か判定し、設定値以下である場合には、ステップ１０２に進む一方、設定値以下でない場合には、再びステップ１０１に戻る。
【００２５】
ステップ１０２においては、制御弁１５２が所定時間（例えば１５秒）閉塞され、その後、制御弁１５２が所定時間（例えば１５秒）開放され、ステップ１０３に進む。このとき、流量調整手段１５１が無圧状態から加圧状態となるように、制御弁１５２が開閉動作することになるため、流量調整手段１５１に詰まった夾雑物が除去され得る。
【００２６】
ステップ１０３においては、流量測定手段１５３で測定する水の流量が設定値以下であるか否か判定し、設定値以下である場合には、ステップ１０４に進む一方、図４に示すように、設定値以下でない場合には、ステップ１０１に戻る。即ち、図４に示すように、制御弁１５２が１回の開閉動作を実行することで、流量測定手段１５３で測定する水の流量が設定値以上になると、制御弁１５２の開閉動作は、１回で終了される。
【００２７】
ステップ１０４においては、制御弁１５２の２回目の開閉動作が実行されることになり、具体的には、制御弁１５２が所定時間（例えば１５秒）閉塞され、その後、制御弁１５２が開放され、ステップ１０５に進む。そして、ステップ１０５においては、流量測定手段１５３で測定する水の流量が設定値以下であるか否か判定し、設定値以下でない場合には、ステップ１０１に戻る一方、図５に示すように、設定値以下である場合には、ステップ１０６に進む。
【００２８】
ステップ１０６においては、制御弁１５２の開閉動作が強制的に終了され、制御弁１５２の開放が維持される。即ち、図５に示すように、制御弁１５２の開閉動作を２回実行しても、流量測定手段１５３で測定する水の流量が設定値以下である場合には、制御弁１５２の開閉動作だけでは、流量調整手段１５１に詰まった夾雑物が除去できないと判断され、制御弁１５２の開閉動作が不必要に実行されることを防止している。
【００２９】
以上より、本実施形態に係る配管路システムによれば、制御弁１５２は、上流側から下流側に向けて水を流通させる水車填座給水配管路１５に対して、水の流れを遮断できる。そして、制御手段２は、制御弁１５２の開閉動作を実行させる。これにより、水車填座給水配管路１５（流量調整手段１５１）が無圧状態から加圧状態になるため、水車填座給水配管路１５（流量調整手段１５１）に詰まった夾雑物を除去することができる。したがって、さまざまな配管路に対してフレキシブルに対応することができる。
【００３０】
また、本実施形態に係る配管路システムによれば、制御弁１５２が開放状態から閉塞状態に切り替えた際に、部分的な逆流や振動等が流量調整手段１５１で瞬時的に発生するため、流量調整手段１５１の内部に付着していた夾雑物が流量調整手段１５１の内部から剥がれる又は剥がれ易くなるという効果が期待できる。
【００３１】
また、本実施形態に係る配管路システムによれば、流量測定手段１５３が水車填座給水配管路１５（流量調整手段１５１）に流れる水の流量を測定する。そして、水車填座給水配管路１５（流量調整手段１５１）に流れる水の流量が設定値以下となった際に、制御手段２が制御弁１５２の開閉動作を実行させる。したがって、流量調整手段１５１に夾雑物が詰まった際に、制御弁１５２の開閉動作を効果的に実行することができる。
【００３２】
また、本実施形態に係る配管路システムによれば、制御手段２は、水車填座給水配管路１５（流量調整手段１５１）に流れる流量が設定値以上になるか、又は、制御弁１５２の開閉動作が設定回数（２回）になるまで、制御弁１５２の開閉動作を実行する。これより、水車填座給水配管路１５（流量調整手段１５１）に流れる流体の流量が設定値以上になると、制御弁１５２の開閉動作が終了される。
【００３３】
反対に、水車填座給水配管路１５（流量調整手段１５１）に流れる流体の流量が設定値以上にならなくても、制御弁１５２の開閉動作が設定回数となると、制御弁１５２の開閉動作が終了する。したがって、制御弁１５２が不必要に開閉動作を実行することを抑制できる。なお、水車填座給水配管路１５（流量調整手段１５１）に流れる流体の流量が設定値以上にならない場合には、例えば、配管路を解体して夾雑物を除去することになる。
【００３４】
なお、本発明は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００３５】
上記実施形態に係る配管路システムにおいては、配管路が水力発電所の給水系統の配管路である構成を説明したが、斯かる構成に限られない。具体的には、配管路は、特に限定されることなく、要するに、上流側から下流側に向けて流体を流通させる配管路を備え、配管路の対象部に詰まった夾雑物を除去するような構成であればよい。
【００３６】
また、上記実施形態に係る配管路システムにおいては、制御手段２が制御弁１５２の開閉動作（閉動作）を２回実行しても、水車填座給水配管路１５に流れる流体の流量が設定値以上にならない場合には、制御弁１５２の開閉動作を終了する構成を説明したが、斯かる構成に限られない。
【００３７】
具体的には、制御手段２は、制御弁１５２の開閉動作を３回以上実行させる構成でもよく、また、水車填座給水配管路１５に流れる流体の流量が設定値以上になるまで、制御弁１５２の開閉動作を継続して実行させる構成でもよい。例えば、開閉設定手段３にて設定回数を設定できる構成としてもよい。
【００３８】
また、上記実施形態に係る配管路システムにおいては、制御弁１５２が閉塞した際に、配管路１５を完全に閉塞する構成、即ち、シャット弁である構成を説明したが、斯かる構成に限られない。具体的には、制御弁１５２は、流量調整弁であって、閉塞した際に、流体を一部流通させる構成でもよい。
【００３９】
また、上記実施形態に係る配管路システムにおいては、制御弁１５２が開閉動作する際に、開放する時間及び閉塞する時間が同じ時間（１５秒）である構成を説明したが、斯かる構成に限られない。具体的には、開放する時間と閉塞する時間が異なる時間である構成でもよく、また、斯かる時間が次第に長くなったり短くなったりする構成でもよい。
【００４０】
また、上記実施形態に係る配管路システムにおいては、オリフィス弁である流量調整手段１５１に詰まる夾雑物を除去する構成を説明したが、斯かる構成に限られない。具体的には、流量調整弁である流量調整手段に詰まる夾雑物を除去する構成でもよく、配管の曲管部（エルボやベント）に詰まる夾雑物を除去する構成でもよく、また、異なる配管径の配管を接続する接続部に詰まる夾雑物を除去する構成でもよい。
【００４１】
また、上記実施形態に係る配管路システムにおいては、制御弁１５２が流量調整手段１５１の下流側に配置される構成を説明したが、斯かる構成に限られない。具体的には、制御弁１５２は、流量調整手段１５１の上流側に配置される構成でもよい。
【００４２】
また、上記実施形態に係る配管路システムにおいては、水車填座給水配管路１５（流量調整手段１５１）に流れる水の流量が設定値以下となった際に、制御手段２が制御弁１５２の開閉動作を実行させる構成を説明したが、斯かる構成に限られない。具体的には、制御手段２は、所定期間（例えば３日間）毎に制御弁１５２の開閉動作を実行する構成でもよい。
【００４３】
また、本発明に係る配管路システムにおいては、制御弁１５２が開閉したことで、水車填座給水配管路１５に流れる流体の流量が制御弁１５２の開閉動作前よりも増加した場合には、制御手段２が制御弁１５２を再度開閉する一方、水車填座給水配管路１５に流れる流体の流量が制御弁１５２の開閉動作前よりも増加しなかった場合には、制御手段２が制御弁１５２の開放を維持する構成でもよい。
【符号の説明】
【００４４】
１…配管路、２…制御手段、３…開閉設定手段、１０…主幹配管路、１１…ストレーナ、１２，１３，１４，１５…分岐配管路、１５１…流量調整手段（対象部）、１５２…制御弁、１５３…流量測定手段、１５３ａ…流量検出部、１５３ｂ…流量値設定部
【図１】
2014024059.tif 000003
【図２】
2014024059.tif 000004
【図３】
2014024059.tif 000005
【図４】
2014024059.tif 000006
【図５】
2014024059.tif 000007